【事件の表示】
　特願２０１７−　７６４１４「光イメージング装置」拒絶査定不服審判事件〔平成２９年　８月１０日出願公開、特開２０１７−１３８３２９、請求項の数（８）〕について、次のとおり審決する。
【結　論】
　原査定を取り消す。
　本願の発明は、特許すべきものとする。
【理　由】
第１　手続の経緯
　本願は、平成２４年１２月７日に出願した特願２０１２―２６８５０２号の一部を平成２９年４月７日に新たな特許出願としたものであって、平成３０年３月２日付けで拒絶理由が通知され、同年５月７日に意見書及び手続補正書が提出されたが、同年１０月１９日付けで拒絶査定（原査定）がされたところ、平成３１年１月３０日に拒絶査定不服審判の請求がなされ、それと同時に手続補正（以下「本件手続補正」という。）がなされたものである。
第２　原査定の概要
　原査定の概要は次のとおりである。
　この出願の請求項１ないし８に係る発明は、その出願前日本国内又は外国において頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　記
・請求項　１、２
・引用文献等　１−３
・請求項　３、４
・引用文献等　１−４
・請求項　５−７
・引用文献等　１−５
・請求項　８
・引用文献等　１−６
引用文献等一覧
１.特表２００４−５３４９５４号公報
２.米国特許第７８７３４０７号明細書
３.国際公開第２００８／１１４３７２号
４.特表２００６−５２５４９４号公報
５.特表２００６−５１９９９５号公報
６.特開２０１２−１５４６２８号公報
第３　本願発明
　本願の請求項１ないし８に係る発明（以下それぞれ「本願発明１」ないし「本願発明８」という。）は、平成３０年１２月１１日にされた手続補正で補正された特許請求の範囲の請求項１ないし８に記載された事項により特定されるとおりのものであり、本願発明１は以下のとおりである。
「　　【請求項１】
　生体試料に励起光を照射し、それに対して該試料から得られた蛍光を検出して２次元画像化する光イメージング装置において、
　a)その上面の前部に、水平軸を中心に上方後部側に蝶動自在である上蓋を有する筐体と、
　b)前記上蓋が上方後部側に蝶動され開放されたときに、その上方に何らの障害物もない状態で露出する、上面に生体試料を略水平に載置するための試料台であり、その載置面に光が透過する光透過部が設けられた試料台と、
　c)前記試料台上に載置された生体試料に照射される励起光を発する複数の射出部を含み、該複数の射出部がそれぞれ、光学的屈折素子を用いて励起光光束を空間的に発散させつつ射出するものである照明部と、
　d)該照明部による励起光に対して前記生体試料から放出された蛍光による像を取得する撮像部と、
　e)前記照明部による励起光が前記試料台の光透過部を通して前記生体試料に下方から照射されるように該励起光を導くとともに該生体試料から下方へ放出され前記光透過部を経た蛍光を前記撮像部に導くべく、前記励起光と前記蛍光とを共に空間内で折り曲げる、前記試料台の下方の空間に配置された共通の反射光学部、を含む導光光学系と、
　を備えることを特徴とする光イメージング装置。」
　なお、本願発明２ないし８は、本願発明１を減縮した発明である。
第４　引用文献の記載事項、引用発明
１　引用文献１について
（１）原査定の拒絶の理由に引用された上記引用文献１には、次の事項が記載されている（下線は当審で付加した。以下同様。）。
（引１−ア）「【技術分野】
【０００１】
本発明は、大きくは画像化システムおよびその使用方法に関する。より具体的には本発明は、複数の視点から画像をキャプチャするのに用いられる画像化システムおよび方法に関する。
【背景技術】
【０００２】
画像化のある特別な種類は、低い強度の光（個々の光子のオーダーである）を発光する試料からキャプチャすること、および光子放射データに基づく画像の構築を伴う。この試料中の光源は、関心のある活性の源を視覚的に示す。例えば、特定のインビボ画像化の応用例は、標本の写真式表現上にスーパーインポーズされた、標本の内部からの光子放射の一つ以上の表現の分析を含む。ルミネセンス（発光、luminescence）表現は、対象となる活動が行われている標本の部分を示す。写真的表現は、ユーザに標本の画像的な基準を提供する。
【０００３】
インビボ画像化は、試料の画像をカメラを用いてキャプチャすることによって行われる。増倍または冷却電荷結合素子（ＣＣＤ）カメラは、試料中の低強度発光細胞の所在を検出するのにしばしば用いられる。これらのカメラは、かなり複雑で特殊な冷却を必要とし、試料室の上部の単一の場所に固定される。ユーザは、上方のカメラの視野内の試料室の底部の所定の位置に試料を置く。カメラおよび試料のこの静的な関係によって、画像キャプチャは上からの画像だけに限定される。
【０００４】
しばしば、試料の異なる視像をキャプチャすることが望ましい。例えば、哺乳類試料の下側から内部の発光細胞を検出することは、上方カメラによってキャプチャされる前に光が透過しなければならない周りを覆う細胞によって影響されえる。異なる角度からのデータを集めることによって、動物の中の光源の位置および強度についてユーザは、単一の視点だけを用いて可能であるよりもより多くの情報を得ることができる。しかし上方のカメラを用いるとき、異なる視像をキャプチャするために試料を再位置決めするのは非実用的でありえる。
【発明の開示】
【発明が解決しようとする課題】
【０００５】
上述のことを鑑みて、試料の姿勢を再位置決めすることなく異なる視点群からの画像群をキャプチャできる改良された画像化システムが非常に望まれる。」
（引１−イ）「【００１６】
Ｉ．画像化システム
【００１７】
ある局面において、本発明は大きくは改良された画像化システムに関する。図１Ａは、本発明のある実施形態によって写真および発光画像をキャプチャする画像化システム１０を示す。システム１０は、画像化ボックス１２内の画像キャプチャの自動化された制御をユーザに提供する。画像化システム１０はまた、構造化光画像をキャプチャおよび構築するのに便利である。
【００１８】
画像化システム１０は、発光試料を受け入れる画像化ボックス１２を備え、このボックス中では低強度の光、例えばルシフェラーゼによる発光が検出される。画像化ボックス１２は、ボックスの側面鉛直壁上にある、カメラを取り付けるカメラマウント１０９を持つハウジング１６を含む（図２Ａ〜２Ｃ）。画像化ボックス１２は、「光が漏れない」ように構成され、すなわち、実質的に全ての外部光は周囲の室内からボックス１２へと入射することを阻止される。
【００１９】
高感度カメラ、例えば増倍された、または電荷結合素子（ＣＣＤ）カメラ２０が、ハウジングに固定されたカメラマウント１０９を好ましくは通して画像化ボックス１２に取り付けられる。ＣＣＤカメラ２０は、画像化ボックス１２内で、試料の発光および写真（すなわち反射光による画像）の画像をキャプチャすることができる。ＣＣＤカメラ２０は、低温流体を管路２４を介してＣＣＤカメラを通して循環させる冷却装置２２のような適切な冷却源によって冷却されてもよい。適切な冷却装置には、ペンシルバニア州アレンタウンのIGC-APD Cryogenics Inc.から入手可能な「ＣＲＹＯＴＩＧＥＲ（登録商標）」コンプレッサがある。液体窒素または固体装置のような他の冷媒もＣＣＤカメラ２０を冷却するのに用いられえる。
・・・
【００２３】
画像化システム１０は、さまざまな視点およびカメラ２０に対する試料の位置から複数の画像をキャプチャするのに適している。これらの画像は、試料の写真的表現上にスーパーインポーズされた試料の内部からの発光（emissions）の一つ以上の表現の分析を含むインビボ画像化の応用例で用いられえる。ある実施形態において、画像化システム１０は、ルシフェラーゼ発光細胞（luciferase-expressing cells）からの発光、蛍光分子からの蛍光などの低強度光源の２−Ｄおよび構造化光画像化のために用いられる。低強度光源は、任意の種類の発光体または試料から放射されえ、これらには例えば、組織培養板、マルチウェル板（９６、３８４、および８６４ウェル板を含む）、およびルシフェラーゼ発光細胞を持つマウスを含むさまざまな哺乳類の対象物のような、
発光分子を含む動物
が含まれ
（引１−ウ）「【００２６】
ＩＩ．画像化ボックス
【００２７】
ある局面において本発明は、さまざまな画像化操作に適切な画像化装置に関する。図１Ｂは、本発明のある実施形態による図１Ａの画像化ボックス１２の外部要素を示す。図２Ａ〜Ｅおよび４Ａ〜Ｄは、本発明のさまざまな実施形態によるボックス１２の内部要素を示す。説明される画像化装置のそれぞれは、ボックス１２内の試料の画像をボックスに結合されたカメラを用いてキャプチャすることができる。
【００２８】
図１Ｂに示されるように、
画像化ボックス１２は
試料を受け入れるための内部空間４４
内部空間４４は、対向する側面エンクロージャパネル１０３ａおよび１０３ｂ
底部にある光を漏らさないパーティション５２、背面エンクロージャパネル４７、および内部空間４４の空間開口部４９を規定する前面壁４８によって規定される
【００２９】
空間４４の下には、光を漏らさないパーティション５２によって空間４４から遮られたより小さなコンパートメントがあり、その上部表面が空間４４の床として働く。ある実施形態においてはこのより小さなコンパートメントは、本体１４内に形成された前面開口部５５を通して引き出し５４をスライド可能に受け入れるように構成されるハウジングスペースを提供する。引き出し５４は、コンピュータ２８と電気的に通信し、ボックス１４のさまざまな要素および機能を制御する電子部品５６を格納する。ある特定の実施形態において画像化ボックス１２は、鋼のような適切な金属で作られた本体１４を有する。
【００３０】
ラッチのかかるドア１８は、支点の回りに回転可能にボックス本体１４にヒンジ４６によって取り付けられ、
開いた位置において、ドア１８はユーザが開口部４９を通して空間４４にアクセスできるようにする。閉じた位置において、ドア１８は開口部４９を通して空間４４にアクセスできないようにする
【００３１】
ここで図２Ａ〜Ｅを主に参照して、ボックス１２のさまざまな内部要素（破線で示される）が本発明のある実施形態に基づいて説明される。図２Ａは、外部壁を取り除いたボックス１２の要素の上面透視図であり、固定された基準線１０７の真下のステージ２０４を示す。図２Ｂは、外部壁を取り除いたボックス１２内の要素の上面透視図であり、固定された基準線１０７の下の中心からずれたステージ２０４を示す。図２Ｃは、外部壁を取り除いたボックス１２内の要素の上面透視図であり、固定された基準線１０７の上の中心からずれたステージ２０４を示す。図２Ｄは、ボックス１２の内部側面図であり、光伝送デバイス１１１なしで側壁１０３ｂおよびハウジング１６を示す。図２Ｅは光伝送デバイス１１１なしの側壁１０３ｂおよびハウジング１６の内部上面透視図である。図２Ａ〜Ｅは、全てドア１８と共に示され、外部壁は図示のために取り除かれている。
【００３２】
図２Ｃ〜２Ｅを参照して、
カメラ２０は、カメラレンズ１００がボックス１２の側壁１０３ｂに形成されたポート１０１を通して内部空間４４を見るように側面ハウジング１６にマウントされる
【００３３】
フォーカス機構１０６（図２Ｅ）は、そのフォーカスを合わせるためにレンズの往復運動を提供する。フォーカス機構は、レンズ支持体１０７を含み、これは上部ハウジング１６にマウントされた静止部分およびネジ山が切られた内径１１３を含む可動部分を示す。ボルト１０８は内径１１３と係合可能であり、カメラレンズ１００をフォーカスが合うように移動させるために、カメラレンズフォーカスモータ１１４の対応する駆動ホイール１１２を通して歯の付けられたベルト１１０によって駆動されるホイールを含む。カメラレンズフォーカスモータ１１４は、電気要素５６と電気的に通信し、図１Ａのコンピュータ２８に含まれるプロセッサによって制御される。
【００３４】
固定された基準線は、カメラレンズ１００の場所の直線に沿ってボックス１２の内部空間４４へつながる固定された領域を表す。よって固定された基準線１０７は、側壁１０３ｂに実質的に垂直な向きに内部空間からカメラレンズ１００の中心を通って
伸びる
【００３５】
図２Ｃに示されるように、カメラマウント１０９は、側壁１０３ｂの側面ハウジング１６に取り付けられる。カメラマウント１０９は、空間４４内の試料１０６をカメラ２０によって見るためにカメラ２０を受け入れ、固定基準線１０７に対して位置付けるように構成される。カメラ２０は
試料１０６の写真の画像（すなわち反射に基づく画像）をキャプチャすることができる一方で、その発光画像をキャプチャできるだけ充分に高感度でもある
【００３６】
可動ステージ装置２００は、内部空間４４内に配置され、移動機構２０２および発光試料１０６を支持するステージ２０４を含む。可動ステージ装置２００は、ステージ２０４（および試料１０６）を内部空間４４内で複数の位置に再位置決めするための動きの２つの自由度が可能である。それらの間の任意の位置が画像キャプチャのために維持されえる。
【００３７】
図２Ａ〜Ｃに示されるように、実施形態中の移動機構２０２は、互いに実質的に垂直に方向付けられる２つのリニアアクチュエータ２０６および２０８を備える。それぞれのリニアアクチュエータ２０６および２０８は、ステージ２０４をそれぞれのアクチュエータに沿って直線的に位置付けることが可能である。リニアアクチュエータ２０６はステージ２０４の鉛直の位置付けを行い、リニアアクチュエータ２０８はステージ２０４の水平の位置付けを行う。リニアアクチュエータ２０６は、ボックス１２に取り付けられた静止部分およびリニアアクチュエータ２０８に取り付けられた可動部分を持つ。リニアアクチュエータ２０８は、リニアアクチュエータ２０６に取り付けられた比較的静止の部分およびステージ２０４に取り付けられた可動部分を持つ。移動機構２０２に用いるのが適切なこのようなリニアアクチュエータの一例は、ニューヨーク州、ポート・ワシントンのThomson Industriesによって製造されるＬＣ−３３である。それぞれのリニアアクチュエータ２０６および２０８はまた、それらの個々の移動部分に沿った動きを制限するために両端に変位制限デバイスを含む。
【００３８】
移動機構２０２は好ましくは、コンピュータ２８に動作可能に結合されてステージ２０４の位置を制御するために位置フィードバックを与える位置センサ群のセットを含む。この場合、位置センサ群は、一端がステージ２０４に固定され、もう一端が巻き取りリール２１２ａ（図２Ａ）に固定された紐または細い紐１４４を含む。リール上に巻かれた紐１４４の量および紐１４４の全長に基づいて、コンピュータ２８はステージ２０４およびセンサ１４２の間の紐の長さを決定できる（すなわち長さによって変化する紐の抵抗に基づいてコンピュータ２８中のルックアップテーブルを用いて変換を実行する）。他の実施形態において位置センサは、開始鉛直または水平位置において可動ステージ２０４をインターセプトする内部空間４４内に配置されたレーザによって提供される。このレーザは、それから移動ステージ５８の位置を共通の鉛直または水平位置にキャリブレートするのに用いられえる。
【００３９】
リニアアクチュエータ２０６および２０８、位置センサ２１２、およびコンピュータ２８は、内部空間４４内のステージ２０４のための閉ループ位置制御を行うために結合される。より具体的にはユーザは、コンピュータ２８を介して、固定基準線１０７の回りの実質的に円形のパスに沿った一つ以上のステージ２０４の位置を入力できる。ある実施形態においてユーザは、固定基準線１０７に対するステージ２０４の視点角度（viewing angle）を与える。コンピュータ２８に含まれるソフトウェアはそれから視点角度を、リニアアクチュエータ２０６および２０８のそれぞれを動かす制御信号に変換する。２つのリニアアクチュエータ２０６および２０８のそれぞれに含まれるモータはそれからコンピュータ２８によって与えられる制御信号を受け取り、ステージ２０４をそれに従って位置決めする。画像キャプチャ位置群の間のステージ２０４の動きは、アクチュエータ２０６および２０８の同時の動きによって、またはアクチュエータ２０６および２０８のそれぞれをステップ的に順次アクティベートすることによって達成される。
【００４０】
図２Ａ〜２Ｃにおいて最もよくわかる
光伝送デバイス１１１は、試料１０６から反射または放射された光を固定基準線１０７の向きに沿って導き、カメラ２０による画像キャプチャのためにレンズ１００に入射させる
光伝送デバイス１１１は、
ハウジング１６にマウントされ
ミラーアセンブリ１２０は、よって回転可能にハウジング１６に結合され、固定基準線１０７の静止軸に同軸状にアラインされた軸の回りに回転する
【００４１】
図２Ｃを参照して、
ミラーアセンブリ１２０は、ステージ２０４上の試料１０６からの光を固定された基準線１０７に沿った向きに反射する角度の付けられたミラー１２１を備える
ミラーアセンブリ１２０の外側壁１２３
ステージが静止軸の周りの円形パスに沿って位置するとき、外側壁１２３およびミラー１２１は協働してステージ２０４の角度が付けられた向きから主に光を集め、この光はレンズ１００によって受光されるためにそれから固定基準線１０７に沿って反射される
【００４２】
図２Ｆは、光伝送デバイス１１１を用いたボックス１２内での光伝送の簡略化された図を示す。図２Ｆで示されるように、図２Ａに示されるステージ２０４の位置について、光は試料１０６から放射され、ミラー１２１で反射され、固定基準線１０７に沿って伝送される。
【００４３】
ある実施形態において光源は、ミラーアセンブリ１２０の筒内に設けられ、画像化ボックス１２内の試料または標本を照らす。光源は、試料の写真画像をキャプチャするために連続的に照らしても、瞬間的に光ってから発光画像をキャプチャするときには消されてもよい。ある特定の実施形態において光源は、カメラレンズ１００の周囲に円周上に配置された低電力のライトの輪を備える。他の実施形態において
光源は、白色発光ダイオード（ＬＥＤ）の４つのペアを備え、これらのうちの一つのペアは、カメラレンズ１００の周囲の４つの角のそれぞれにマウントされる
【００４４】
図２Ｆはまた、構造化光源１７０の使用を示す。示されるように構造化光源１７０から放射される構造化光源１７５は、ミラー１７３で反射され、部分的に透明なミラー１２１を通過し、試料１０６に達する。ある実施形態において、ミラー１２１の部分的に透明であることは、ハーフミラーまたは部分的に鍍金されたミラーを用いて達成される。他の実施形態において、波長に特定の透明度特性を持つダイクロイックミラーが用いられる。構造化光１７５はそれからカメラ２０によってキャプチャされえる。
【００４５】
図２Ａ〜２Ｅで示される実施形態において光伝送デバイス１１１は、コンピュータ２８を用いてミラーアセンブリ１２０の制御および固定基準線１０７に対する位置付けを行う。ミラーアセンブリ１２０は、ミラーアセンブリモータ１２８によって駆動されるベルトに係合する（図２Ｅ）円周上に配置された歯を可動ブラケット１２６の内側に含む（歯は不図示）。可動ブラケット１２６はそれから、モータ１２８の入力について静止ブラケット１１９に対して回転運動を提供する。モータ１２８は電子要素５６と電気的に通信し、コンピュータ２８によって制御される。モータ１２８およびコンピュータ２８内のプロセッサは併せて協働してミラーアセンブリ１２０の回転位置を制御する。
【００４６】
移動機構２０２によって提供される２つの自由度の動きは、カメラ２０による画像キャプチャのために、ステージ２０４および試料１０６が固定基準線１０７に対して複数の角度で位置することを可能にする。よってコンピュータ２８を介したユーザ入力に基づいて、移動機構２０２および光伝送デバイス１１１は協働してステージ２０４上の試料１０６からの光を固定基準線１０７およびレンズ１００に導くことによって、カメラ２０を用いて画像をキャプチャする。円形パスの周りに試料１０６の全３６０度の角度の視点を提供するのにくわえて、移動機構２０２は、固定基準線１０７に対するステージ２０４の与えられた角度について画像の深さを変化させることが可能である。併せて移動機構２０２および光伝送デバイス１１１は協働して、約７．５ｃｍから約１６．５ｃｍの範囲のカメラ２０の視野を提供する。ある特定の実施形態において、光伝送デバイス１１１は協働して、約１３ｃｍから約１６．５ｃｍの範囲のカメラ２０の視野を提供する。上述のユーザが設定する角度位置制御と同様に、ユーザはステージ２０４の所望の焦点深度および視点角度を入力しえる。コンピュータ２８に含まれるソフトウェアおよびリニアアクチュエータ２０６および２０８はそれから協働してステージ２０４を固定基準線１０７に対して所望の角度および深さに位置付ける。
【００４７】
動作中にステージ２０４およびミラーアセンブリ１２０が不用意に接触しないように、移動機構２０２は、衝突防止機構を内蔵してもよい。ある実施形態においてそのような衝突防止機構は、ソフトウェアによるものであり、コンピュータ２８内のプロセッサによって制御される。よってステージ２０４の位置フィードバックおよびミラーアセンブリ１２０の既知の位置に基づいて、コンピュータ２８はステージ２０４が不用意にミラーアセンブリ１２０に接触しないようにする制御信号を発生する。これは、図２Ｃに示されるような位置および１８０度離れた位置の間のステージ２０４の移動に有利でありえる。この場合、コンピュータ２８のプロセッサは制御信号をリニアアクチュエータ２０６および２０８に伝達し、これらアクチュエータがステージ２０４をミラーアセンブリ１２０の周りに軌道をもって移動する、例えば、固定基準線１０７からの最小半径を維持しながら移動する。
【００４８】
こんどは図３Ａおよび３Ｂを参照して、本発明のある実施形態によるステージ２０４の上面図および側面図がそれぞれ示される。
【００４９】
ある実施形態において、ステージ２０４は、ステージ２０４およびボックス１２内の他の要素が不用意に接触することを防止するハードウェアによる衝突防止機構を含む。特定の実施形態において衝突ピン２５０は、図３Ａに示されるようにステージ２０４のカメラ２０に最も近い側面に配置される。衝突ピン２５０は、ステージ２０４および要素が空間４４内で接触することを防止する。ステージ２０４と光伝送デバイス１１１、カメラ２０または壁１０３ｂとの間の接触を防止するために、金属リング２６０が静止ブラケット１１９上に光伝送デバイス１１１の周りに円周状に配置される。金属衝突ピン２５０はグラウンドに落とされ、金属リング２６０は５Ｖに維持されるので、衝突ピン２５０および金属リング２６０の間の予期しない接触は、リミットスイッチとして機能し、ステージ２０４に接触した旨の電気的通信をコンピュータ２８と即時に行う。それからステージ２０４の動きは停止される。併せて衝突ピン２５０および金属リング２６０は、リニアアクチュエータ２０６および２０８が動くあいだ、円形の衝突防止境界を光伝送デバイス１１１の周囲に設定する。
【００５０】
他の実施形態において、ステージ２０４が不用意に空間４４内の要素に接触することを防ぐためのソフトウェアによる衝突防止が実現されえる。位置センサ２１２を用いたステージ２０４の位置フィードバックおよびミラーアセンブリ１２０の既知の位置に基づいて、コンピュータ２８は、ステージ２０４がミラーアセンブリ１２０と重ならないようにし、よって試料１０６および空間４４内の要素の間の不用意な接触のリスクを最小限にする制御信号を作る。
【００５１】
図３Ａに示されるように、
ステージ２０４は、フレーム２５２および透明部２５４を備える
透明部２５４は、
試料１０６から放射または反射された光が光伝送デバイス１１１へと実質的に干渉なしに最小限の歪みで伝わることを可能にする
【００５２】
ボックス１２はまた、ボックス１２内で試料の画像キャプチャを促進する他の要素を含んでもよい。カメラレンズ１００の自動焦点制御に加えシステム１０は、
カメラ２０および固定基準線１０７に沿った光の通路の間に、マルチフィルタ群１１８を少なくとも部分的に選択的に提供する自動フィルタ選択デバイス１１７も含む
光フィルタ選択デバイス１１７は、その周囲に複数の光学フィルタ群１１８を備えるように構成された円形フィルタ選択ホイール１１６を含む
フィルタホイール１１６によって支持される複数の光学フィルタ１１８は、明るい試料のための中性灰色フィルタ、特定の波長を制限する１つ以上の波長阻止フィルタ、励起光が検出光とは異なる蛍光の応用例のための蛍光フィルタなど、画像キャプチャを促進する任意の幅広い光学フィルタを含みえる
（引１−エ）【図１Ｂ】
「
　　　　　　　　　　　　　　　　　　　　　　　　」
（引１−オ）【図２Ａ】
「
　　　　　　　　　　　　　　　　　　　　　　　　」
（引１−カ）【図２Ｂ】
「
　　　　　　　　　　　　　　　　　　　　　　　　」
（引１−キ）【図２Ｃ】
「
　　　　　　　　　　　　　　　　　　　　　　　　」
（引１−ク）【図３Ａ】
「
　　　　　　　　　　　　　」
（２）引用文献１の記載において、「側面エンクロージャパネル」「１０３ｂ」及び「側壁１０３ｂ」、「内部空間４４」及び「空間４４」、「空間開口部４９」及び「開口部４９」、「画像化ボックス１２」及び「ボックス１２」、「自動フィルタ選択デバイス１１７」及び「光フィルタ選択デバイス１１７」、「円形フィルタ選択ホイール１１６」及び「フィルタホイール１１６」は、それぞれ同じものを表すと認められることから、以下、表記を「側面エンクロージャパネル１０３ｂ」、「内部空間４４」、「空間開口部４９」、「画像化ボックス１２」、「自動フィルタ選択デバイス１１７」、「円形フィルタ選択ホイール１１６」に統一する。
　上記（引１−ア）ないし（引１−ク）の記載から、引用文献１には、以下の発明（以下「引用発明」という。）が記載されていると認められる。
「　試料１０６として発光分子を含む動物を含み、
　試料１０６を受け入れるための内部空間４４は、対向する側面エンクロージャパネル１０３ａ及び１０３ｂ、底部にある光を漏らさないパーティション５２、背面エンクロージャパネル４７、並びに内部空間４４の空間開口部４９を規定する前面壁４８によって規定され、
　ラッチのかかるドア１８は、支点の回りに回転可能にボックス本体１４にヒンジ４６によって取り付けられ、開いた位置において、ドア１８はユーザが空間開口部４９を通して内部空間４４にアクセスできるようにし、閉じた位置において、ドア１８は空間開口部４９を通して内部空間４４にアクセスできないようにし、
　カメラ２０は、カメラレンズ１００がボックス１２の側面エンクロージャパネル１０３ｂに形成されたポート１０１を通して内部空間４４を見るように側面ハウジング１６にマウントされ、試料１０６の写真の画像（すなわち反射に基づく画像）をキャプチャすることができる一方で、その発光画像をキャプチャできるだけ充分に高感度でもあり、
　固定された基準線１０７は、カメラレンズ１００の場所の直線に沿ってボックス１２の内部空間４４へつながる固定された領域を表し、よって固定された基準線１０７は、側面エンクロージャパネル１０３ｂに実質的に垂直な向きに内部空間からカメラレンズ１００の中心を通って伸び、
　可動ステージ装置２００は、内部空間４４内に配置され、移動機構２０２及び試料１０６を支持するステージ２０４を含み、ステージ２０４（及び試料１０６）を内部空間４４内で複数の位置に再位置決めするための動きの２つの自由度が可能であり、それらの間の任意の位置が画像キャプチャのために維持され得るものであり、ステージ２０４は、フレーム２５２及び透明部２５４を備え、透明部２５４は、試料１０６から放射又は反射された光が光伝送デバイス１１１へと実質的に干渉なしに最小限の歪みで伝わることを可能にし、
　光伝送デバイス１１１は、ハウジング１６にマウントされ、試料１０６から反射又は放射された光を固定基準線１０７の向きに沿って導き、カメラ２０による画像キャプチャのためにレンズ１００に入射させるものであって、ミラーアセンブリ１２０は、回転可能にハウジング１６に結合され、固定基準線１０７の静止軸に同軸状にアラインされた軸の回りに回転し、ステージ２０４上の試料１０６からの光を固定された基準線１０７に沿った向きに反射する角度の付けられたミラー１２１を備え、ステージ２０４が静止軸の周りの円形パスに沿って位置するとき、ミラーアセンブリ１２０の外側壁１２３及びミラー１２１は協働してステージ２０４の角度が付けられた向きから主に光を集め、この光はレンズ１００によって受光されるためにそれから固定基準線１０７に沿って反射され、
　光源は、白色発光ダイオード（ＬＥＤ）の４つのペアを備え、これらのうちの一つのペアは、カメラレンズ１００の周囲の４つの角のそれぞれにマウントされ、
　カメラ２０及び固定基準線１０７に沿った光の通路の間に、マルチフィルタ群１１８を少なくとも部分的に選択的に提供する自動フィルタ選択デバイス１１７を含み、自動フィルタ選択デバイス１１７は、その周囲に複数の光学フィルタ群１１８を備えるように構成された円形フィルタ選択ホイール１１６を含み、円形フィルタ選択ホイール１１６によって支持される複数の光学フィルタ１１８は、明るい試料のための中性灰色フィルタ、特定の波長を制限する１つ以上の波長阻止フィルタ、励起光が検出光とは異なる蛍光の応用例のための蛍光フィルタなど、画像キャプチャを促進する任意の幅広い光学フィルタを含む、
画像化ボックス１２。」
第５　対比・判断
１　本願発明１について
（１）本願発明１と引用発明とを対比する。
ア
（ア）引用発明の、「試料１０６として」の「動物」は、本願発明１の「生体試料」に相当する。
（イ）引用発明の「励起光が検出光とは異なる蛍光の応用例」が、「光源」が発した励起光を「試料１０６」に照射し、それにより「試料１０６」が発した蛍光による蛍光画像を「カメラ２０」でキャプチャする使用例を意味することは明らかである。
（ウ）上記（ア）及び（イ）を踏まえると、引用発明の「試料１０６として発光分子を含む動物を含み」、「励起光が検出光とは異なる蛍光の応用例」を使用例として含む「画像化ボックス１２」は、本願発明１の「生体試料に励起光を照射し、それに対して該試料から得られた蛍光を検出して２次元画像化する光イメージング装置」に相当する。
イ
（ア）引用発明の「支点」と、本願発明１の「水平軸」とは、「回転軸」で共通する。
（イ）引用発明の「回転可能に」「ヒンジ４６によって取り付けられ」ていることは、本願発明１の「蝶動自在である」ことに相当する。
（ウ）引用発明の「ドア１８」と、本願発明１の「上蓋」とは、「開閉体」で共通する。
（エ）引用発明の「ボックス本体１４」は、本願発明１の「筐体」に相当する。
（オ）上記（ア）ないし（エ）を踏まえると、引用発明の「ドア１８」が「支点の回りに回転可能に」「ヒンジ４６によって取り付けられ」た「ボックス本体１４」と、本願発明１の「その上面の前部に、水平軸を中心に上方後部側に蝶動自在である上蓋を有する筐体」とは、「回転軸を中心に蝶動自在である開閉体を有する筐体」で共通する。
ウ
（ア）引用発明において、「ステージ２０４」が水平になるように配置されることは明らかであるから、上記ア（ア）を踏まえると、引用発明の「試料１０６を支持するステージ２０４」は、本願発明１の「上面に生体試料を略水平に載置するための試料台」に相当する。
（イ）引用発明の「フレーム２５２及び透明部２５４を備え、透明部２５４は、試料１０６から放射又は反射された光が光伝送デバイス１１１へと実質的に干渉なしに最小限の歪みで伝わることを可能に」することは、本願発明１の「その載置面に光が透過する光透過部が設けられ」ていることに相当する。
（ウ）引用発明の「ステージ２０４」は、「内部空間４４内に配置され」、「開いた位置において、ドア１８はユーザが空間開口部４９を通して内部空間４４にアクセスできるように」することから、「ドア１８」が「開いた位置において」、「ステージ２０４」が露出することは明らかである。
（エ）上記（ア）ないし（ウ）及びイを踏まえると、引用発明の「ドア１８は、支点の回りに回転可能にボックス本体１４にヒンジ４６によって取り付けられ、開いた位置において、ドア１８はユーザが空間開口部４９を通して内部空間４４にアクセスできるようにし」、その「内部空間４４内に配置され」た「ステージ２０４」と、本願発明１の「前記上蓋が上方後部側に蝶動され開放されたときに、その上方に何らの障害物もない状態で露出する、上面に生体試料を略水平に載置するための試料台であり、その載置面に光が透過する光透過部が設けられた試料台」とは、「前記開閉体が蝶動され開放されたときに、露出する、上面に生体試料を略水平に載置するための試料台であり、その載置面に光が透過する光透過部が設けられた試料台」で共通する。
エ
（ア）引用発明の「光源」は、本願発明１の「照明部」に相当する。
（イ）引用発明の「白色発光ダイオード（ＬＥＤ）の４つのペア」は、本願発明１の「複数の射出部」に相当する。
（ウ）上記（ア）及び（イ）、ア並びにウ（ア）を踏まえると、引用発明の「白色発光ダイオード（ＬＥＤ）の４つのペアを備え」た「光源」と、本願発明１の「前記試料台上に載置された生体試料に照射される励起光を発する複数の射出部を含み、該複数の射出部がそれぞれ、光学的屈折素子を用いて励起光光束を空間的に発散させつつ射出するものである照明部」とは、「前記試料台上に載置された生体試料に照射される励起光を発する複数の射出部を含む照明部」で共通する。
オ
（ア）引用発明の「カメラ２０」は、本願発明１の「撮像部」に相当する。
（イ）上記（ア）及びア（イ）を踏まえると、引用発明の「試料１０６の写真の画像（すなわち反射に基づく画像）をキャプチャすることができる一方で、その発光画像をキャプチャできるだけ充分に高感度でもあ」る「カメラ２０」は、本願発明１の「該照明部による励起光に対して前記生体試料から放出された蛍光による像を取得する撮像部」に相当する。
カ
（ア）引用発明は、「ステージ２０４上の試料１０６からの光を固定された基準線１０７に沿った向きに反射する角度の付けられたミラー１２１を備え」たものであるところ、引用発明の「励起光が検出光とは異なる蛍光の応用例」において、「光源は、白色発光ダイオード（ＬＥＤ）の４つのペアを備え、これらのうちの一つのペアは、カメラレンズ１００の周囲の４つの角のそれぞれにマウントされ」ていることから、「光源」が発した「励起光」は、「ミラー１２１」で反射されて「ステージ２０４上の試料１０６」に照射されることは明らかである。
（イ）引用発明の「ミラー１２１」及び「光伝送デバイス１１１」は、それぞれ本願発明１の「反射光学部」及び「導光光学系」に相当する。
（ウ）上記（ア）及び（イ）を踏まえると、引用発明の「ミラーアセンブリ１２０は、回転可能にハウジング１６に結合され、固定基準線１０７の静止軸に同軸状にアラインされた軸の回りに回転し、ステージ２０４上の試料１０６からの光を固定された基準線１０７に沿った向きに反射する角度の付けられたミラー１２１を備え、ステージ２０４が静止軸の周りの円形パスに沿って位置するとき、ミラーアセンブリ１２０の外側壁１２３及びミラー１２１は協働してステージ２０４の角度が付けられた向きから主に光を集め、この光はレンズ１００によって受光されるためにそれから固定基準線１０７に沿って反射され」、「試料１０６から反射又は放射された光を固定基準線１０７の向きに沿って導き、カメラ２０による画像キャプチャのためにレンズ１００に入射させるものであ」る「光伝送デバイス１１１」と、本願発明１の「前記照明部による励起光が前記試料台の光透過部を通して前記生体試料に下方から照射されるように該励起光を導くとともに該生体試料から下方へ放出され前記光透過部を経た蛍光を前記撮像部に導くべく、前記励起光と前記蛍光とを共に空間内で折り曲げる、前記試料台の下方の空間に配置された共通の反射光学部、を含む導光光学系」とは、「前記照明部による励起光が前記試料台の前記生体試料に照射されるように該励起光を導くとともに該生体試料から放出された蛍光を前記撮像部に導くべく、前記励起光と前記蛍光とを共に空間内で折り曲げる、空間に配置された共通の反射光学部、を含む導光光学系」で共通する。
（２）よって、本願発明１と引用発明とは、
「　生体試料に励起光を照射し、それに対して該試料から得られた蛍光を検出して２次元画像化する光イメージング装置において、
　a)回転軸を中心に蝶動自在である開閉体を有する筐体と、
　b)前記開閉体が蝶動され開放されたときに、露出する、上面に生体試料を略水平に載置するための試料台であり、その載置面に光が透過する光透過部が設けられた試料台と、
　c)前記試料台上に載置された生体試料に照射される励起光を発する複数の射出部を含む照明部と、
　d)該照明部による励起光に対して前記生体試料から放出された蛍光による像を取得する撮像部と、
　e)前記照明部による励起光が前記試料台の前記生体試料に照射されるように該励起光を導くとともに該生体試料から放出された蛍光を前記撮像部に導くべく、前記励起光と前記蛍光とを共に空間内で折り曲げる、空間に配置された共通の反射光学部、を含む導光光学系と、
　を備える光イメージング装置。」
の発明である点で一致し、次の３点で相違する。
（相違点１）
　試料台に対する導光光学系の反射光学部の配置について、本願発明１においては、「励起光が前記試料台の光透過部を通して前記生体試料に下方から照射されるように該励起光を導くとともに該生体試料から下方へ放出され前記光透過部を経た蛍光を前記撮像部に導くべく」、「反射光学部」は「前記試料台の下方の空間に配置され」ているのに対し、引用発明においては、「ステージ２０４」は「移動機構２０２」により「内部空間４４内で複数の位置に再位置決めするための動きの２つの自由度が可能であり、それらの間の任意の位置が画像キャプチャのために維持され得るものであり」、「ミラー１２１」は「固定基準線１０７の静止軸に同軸状にアラインされた軸の回りに回転」することから、励起光がステージ２０４の透明部２５４を通して試料１０６に下方から照射されるように該励起光を導くとともに該試料１０６から下方へ放出され前記透明部２５４を経た蛍光をカメラ２０に導くべく、「ミラー１２１」が「ステージ２０４」の下方に位置するように「ステージ２０４」を移動させることができるが、「ステージ２０４」の位置は固定されたものではない点。
（相違点２）
　回転軸を中心に蝶動自在である開閉体が、本願発明１においては、「筐体」の「上面の前部に、水平軸を中心に上方後部側に蝶動自在」に設けられ、「上方後部側に蝶動され開放されたときに」、「試料台」を「その上方に何らの障害物もない状態で露出」させる「上蓋」であるのに対し、引用発明においては、「支点の回りに回転可能にボックス本体１４にヒンジ４６によって取り付けられ、開いた位置において」、「ユーザが」「前面壁４８」によって「規定」される「空間開口部４９を通して内部空間４４にアクセスできるように」する「ドア１８」である点。
（相違点３）
　照明部の射出部のそれぞれが、本願発明１においては、「光学的屈折素子を用いて励起光光束を空間的に発散させつつ射出するものである」のに対し、引用発明においては、そのような特定はされていない点。
（３）相違点についての判断
ア　上記相違点１について検討する。
（ア）引用発明は、（引１−ア）の段落【０００５】に記載された「試料の姿勢を再位置決めすることなく異なる視点群からの画像群をキャプチャできる改良された画像化システムが非常に望まれる。」という課題に対処するために、「ステージ２０４（及び試料１０６）を内部空間４４内で複数の位置に再位置決めするための動きの２つの自由度が可能であり、それらの間の任意の位置が画像キャプチャのために維持され得るもの」とする「移動機構２０２」を採用したものである。
　そのため、引用発明において、「試料の姿勢を再位置決めすることなく異なる視点群からの画像群をキャプチャできる」ことを阻害する構成である、「ミラー１２１」が「ステージ２０４」の下方に位置するように「ステージ２０４」の配置を固定させる構成を採用する動機付けはない。
（イ）原査定の拒絶の理由に引用された上記引用文献３ないし６には、反射光学部を試料台の下方の空間に配置することは、記載も示唆もない。
（ウ）原査定の拒絶の理由に引用された上記引用文献２は、試料の上下左右の四方からの撮影を可能とするピラミッド型の反射部材を開示している。
　そこで、「試料の姿勢を再位置決めすることなく異なる視点群からの画像群をキャプチャできる」ようにするための構成として、引用発明のステージ２０４を移動させる構成に代えて、引用文献２に開示されたピラミッド型の反射部材を採用する場合について検討する。
　この場合、ステージ２０４の下方にピラミッド型の反射部材の一面が存在することになり、上記相違点１に係る本願発明１の特定事項を得ることができる。
イ　次ぎに、相違点２について検討する。
　上記ア（ウ）で検討した引用発明のステージ２０４を移動させる構成に代えて、引用文献２に開示されたピラミッド型の反射部材を採用する場合、ステージ２０４の上方にもピラミッド型の反射部材の一面が存在することになり、引用発明のドア１８がボックス本体１４の上面開口部を開閉する構成に変更したとしても、上記相違点２に係る本願発明１の特定事項である「試料台」を「その上方に何らの障害物もない状態で露出」させる構成を得ることはできない。
　そうすると、引用文献１ないし６に基づいて、上記相違点１及び２に係る本願発明１の発明特定事項をともに備えた構成を得ることはできない。
ウ　したがって、上記相違点３について判断するまでもなく、本願発明１は、引用発明及び引用文献２ないし６の記載事項に基づいて、当業者が容易に発明をすることができたものではない。
２　本願発明２ないし８について
　本願発明２ないし８は、本願発明１を減縮した発明であって、本願発明１の「その上方に何らの障害物もない状態で露出する、上面に生体試料を略水平に載置するための試料台」及び「前記試料台の下方の空間に配置された共通の反射光学部」と同一の構成を備えるものであるから、本願発明１と同じ理由により、引用発明及び引用文献２ないし６の記載事項に基づいて、当業者が容易に発明をすることができたものではない。
第６　原査定について
　本件手続補正により、本願発明１ないし８は、「その上方に何らの障害物もない状態で露出する、上面に生体試料を略水平に載置するための試料台」及び「前記試料台の下方の空間に配置された共通の反射光学部」という特定事項を有するものとなっており、当業者であっても、原査定において引用された引用文献１ないし６に基づいて容易に発明をすることができたとはいえない。
　したがって、原査定の理由を維持することはできない。
第７　むすび
　以上のとおり、原査定の理由によっては、本願を拒絶することはできない。
　また、他に本願を拒絶すべき理由を発見しない。
　よって、結論のとおり審決する。